(57)【要約】【課題】集塵室部から塵埃があふれてしまうことのない電気掃除機を提供する。【解決手段】塵埃吸込口から塵埃を吸い込ませる電動送風機と、前記塵埃吸込口へ吸い込まれた塵埃と空気を慣性により分離する塵埃分離部５２とこの塵埃分離部５２で分離された塵埃を溜める集塵室部７３とを有する集塵容器４１０とを備え、この集塵容器４１０を本体に着脱自在に設けた電気掃除機において、集塵室部７３内に向けて光を発光する発光ダイオードＤ１と、集塵室部７３内を透過する光を受光する受光ダイオードＤ２と、この受光ダイオードＤ２の受光に基づいて集塵室部７３に溜まる塵埃の量を測定する測定手段と、この測定手段によって測定された測定量に応じて集塵容器４１０をポップアップするポップアップ手段とを設けた。【選択図】図５
2007244467.tif 000002
【特許請求の範囲】
【請求項１】
塵埃吸込口から塵埃を吸い込ませる電動送風機と、前記塵埃吸込口へ吸い込まれた塵埃と空気を分離する塵埃分離部とこの塵埃分離部で分離された塵埃を溜める集塵室部とを有する集塵容器とを備え、この集塵容器を本体に着脱自在に設けた電気掃除機において、
前記集塵室部内に向けて光を発光する発光手段と、
前記集塵室部内を透過する光を受光する受光手段と、
この受光手段の受光に基づいて前記集塵室部に溜まる塵埃の量を測定する測定手段と、
この測定手段によって測定された測定量に応じて報知する報知手段とを設けたことを特徴とする電気掃除機。
【請求項２】
前記報知手段は、前記集塵容器をポップアップさせて報知することを特徴とする請求項１に記載の電気掃除機。
【請求項３】
前記集塵室部に溜まる塵埃の量が所定量以上のとき、前記電動送風機の切スイッチがオンされたとき、前記報知手段が報知を行うことを特徴とする請求項２に記載の電気掃除機。
【請求項４】
前記集塵室部に溜まる塵埃の量が所定量以上になったとき、所定時間経過後に前記電動送風機の駆動を停止させ、この後に前記報知手段が報知を行うことを特徴とする請求項２に記載の電気掃除機。
【発明の詳細な説明】
【技術分野】
【０００１】
この発明は、塵埃吸込口へ吸い込まれた塵埃と空気を慣性により分離する分離部と、この分離部で分離された塵埃を溜める集塵部とを有する集塵容器を備えた電気掃除機に関する。
【背景技術】
【０００２】
従来から、集塵容器を掃除機本体に着脱自在に設けた電気掃除機が知られている（特許文献１参照）。
【０００３】
かかる電気掃除機は、集塵容器室を内部に形成した掃除機本体と、集塵容器室に着脱自在に装着される集塵容器と、前記集塵容器室の下流側に設けられた電動送風機等とを備えている。
【０００４】
集塵容器は、塵埃吸込口へ吸い込まれた塵埃と空気を慣性により分離する分離部と、この分離部で分離された塵埃を溜める集塵室部とを有している。
【０００５】
このような電気掃除機にあっては、集塵容器の集塵室部に溜まった塵埃の量は電動送風機に入力される電流によって判断している。
【特許文献１】特開２００４−３５８１３５号公報
【発明の開示】
【発明が解決しようとする課題】
【０００６】
しかしながら、上記のような電気掃除機にあっては、慣性により塵埃と空気とを分離しているため、集塵室部に塵埃が溜まっていても吸引力が十分に低下しない。このため、集塵室部に塵埃が所定量以上溜まっても電動送風機の入力電流は増加せず、このため集塵室部の塵埃が満杯になってもユーザが気が付かないという問題があった。
【０００７】
この発明の目的は、集塵室部から塵埃があふれてしまうことのない電気掃除機を提供することにある。
【課題を解決するための手段】
【０００８】
この発明は、塵埃吸込口から塵埃を吸い込ませる電動送風機と、前記塵埃吸込口へ吸い込まれた塵埃と空気を分離する塵埃分離部とこの塵埃分離部で分離された塵埃を溜める集塵室部とを有する集塵容器とを備え、この集塵容器を本体に着脱自在に設けた電気掃除機において、
前記集塵室部内に向けて光を発光する発光手段と、
前記集塵室部内を透過する光を受光する受光手段と、
この受光手段の受光に基づいて前記集塵室部に溜まる塵埃の量を測定する測定手段と、
この測定手段によって測定された測定量に応じて報知する報知手段とを設けたことを特徴とする。
【発明の効果】
【０００９】
この発明によれば、集塵室部に溜まった塵埃の測定量に応じて報知手段が報知するので、集塵室部に溜まる塵埃があふれてしまうことを未然に防止することができる。
【発明を実施するための最良の形態】
【００１０】
以下、この発明に係る電気掃除機の実施の形態である実施例を図面に基づいて説明する。
【実施例】
【００１１】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには後述する電動送風機２４の駆動を停止する切スイッチ１３ａや電動送風機２４のパワーを設定する強弱スイッチ１３ｂなどが設けられている。
【００１２】
吸込口体１５には、その底面に塵埃を吸引する図示しない吸込開口（塵埃吸込口）を形成した吸込室（図示せず）が形成されており、この吸込室は延長管１４と集塵ホース１２と接続口１１Ａを介して掃除機本体１１内に設けた集塵ユニット５０（図６参照）の吸込接続口５７ａに連通している。
【００１３】
掃除機本体１１は、本体ケース２０と、本体ケース２０内に装着された集塵ユニット５０（図４参照）と、後述する電動送風機２４とを備えている。
【００１４】
本体ケース２０の前側には、図２および図３に示すように、集塵ユニット室２２が形成されており、この集塵ユニット室２２には後述する塵埃分離ユニット４００と集塵部ユニット４１０とが着脱自在に装着されるようになっている。
【００１５】
また、本体ケース２０の後側には電動送風機２４が設けられており、この電動送風機２４の前側（図２において右側）に前面開口２５Ｂを有する円筒状の接続風路部２５が形成され、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００１６】
集塵ユニット室２２には、図３に示すように、駆動ギアＧａと、この駆動ギアＧａを回転させる駆動モータＭ１とが設けられている。集塵ユニット室２２の前側の内面壁２２ａには赤外光を発光する発光ダイオード（発光手段）Ｄ１が設けられている。
【００１７】
また、集塵ユニット室２２内には、後述する集塵部７０をポップアップするポップアップ機構（報知手段）１０００（図１１参照）が設けられている。
【００１８】
集塵ユニット室２２の上部には開口２３が形成され（図３参照）、この開口２３は図２に示すように蓋ケース２１Ａ,２１Ｂによって閉鎖されている。
【００１９】
集塵ユニット５０は、図４および図５に示すように、塵埃分離ユニット４００と集塵容器４１０とを備えている。
【００２０】
塵埃分離ユニット４００は、塵埃分離部（慣性分離部）５２と、塵埃分離部５２と一体となっているフィルタ部８０と、このフィルタ部８０の上に設けた蓋ケース２１Ａとから構成されている。
【００２１】
集塵容器４１０は、透明な樹脂製の集塵部７０と、この集塵部７０の上に設けられた蓋ケース２１Ｂとから構成されている。
【００２２】
塵埃分離部５２は、図６に示すように外周壁５３によって円筒状に形成された分離室部５４と、この分離室部５４内に分離室部５４の軸線に沿って設けられたほぼ円錐形状の塵埃分離手段５５と、分離室部５４の右側壁５４Ａの外側に設けた吸引風路部５６と、吸込接続口（塵埃吸込口）５７ａから分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００２３】
分離室部５４の外周壁５３の上部には、図５に示すように、空気から分離された塵埃を集塵部７０へ導入する導入開口５３Ａが形成されている。
【００２４】
また、分離室部５４の右側壁５４Ａには、図６に示すように、円形の開口１５４Ａと扇状の開口１５４Ｂとが形成され、開口１５４Ａには塵埃分離手段５５が取り付けられており、開口１５４ＢにはネットフィルタＮＦ２（図示せず）が取り付けられている。また、右側壁５４Ａには接続開口５４Ａａが形成され、この接続開口５４Ａａには案内風路管５７が接続されており、分離室部５４と案内風路管５７とが連通している。
【００２５】
塵埃分離手段５５は、複数の枠５５ａと、この枠５５ａの周囲に貼り付けたネットフィルタＮＦ１とから構成されている。そして、吸引風路部５６は、右側壁５４Ａの開口１５４ＡおよびネットフィルタＮＦ１（図５参照）を介して分離室部５４内に連通し、また右側壁５４Ａの開口１５４ＢのネットフィルタＮＦ２（図示せず）を介して分離室部５４内に連通している。
【００２６】
吸引風路部５６は、後述するフィルタ部８０の収納ケース８１内に連通しているとともに、その右側壁部１５６（図５参照）に形成した接続開口５６Ａを介して後述する集塵ケース部７４の集塵室７３に連通している。
【００２７】
案内風路管５７は、分離室部５４の接続開口５４Ａａから分離室部５４内へ導入される空気を図６の矢印に示すように反時計回りに回転させるようになっている。
【００２８】
集塵部７０は、図５および図７に示すように、上部に左右方向に延びた連通路７１を形成した連通ケース部７２と、この連通ケース部７２の右端部から下方に延びるとともに塵埃を集塵する集塵室部７３を形成した集塵ケース部７４とを有している。連通ケース部７２の底壁７２Ｔの下面には、図８に示すように、下方に突出した第１リブ７２Ｒと下方に延びた第２リブ７２Ｍが形成され、第２リブ７２Ｍの下部には図１２に示すように右方へ突出した係合部７２Ｍａが形成されている。
【００２９】
連通ケース部７２の左側の下面には図５および図８に示すように開口７２Ａが形成され、この開口７２Ａは図５に示すように塵埃分離部５２の導入開口５３Ａに接続されている。また、集塵ケース部７４の左側壁部７４Ａには図９に示すように接続開口７５が形成されており、この接続開口７５にはネットフィルタＮＦ３が取り付けられている。
【００３０】
このネットフィルタＮＦ３の外側であって、ネットフィルタＮＦ３から所定距離離間した位置にカバー板１７０が集塵ケース部７４の外壁部に取り付けられている。カバー板１７０の下部には開口１７０Ａが形成されている（図８参照）。
【００３１】
カバー板１７０の開口１７０Ａは、図５に示すように吸引風路部５６の接続開口５６Ａに接続されている。
【００３２】
また、集塵ケース部７４の右側面には、図９に示すように開口７６が形成され、この開口７６に開閉自在に蓋体７７（図７参照）が取り付けられている。蓋体７７は図８に示すように軸部７７Ｊ回りに回動して開閉するようになっている。
【００３３】
そして、塵埃分離ユニット４００を装着した掃除機本体１１の集塵ユニット室２２に集塵容器４１０を装着すると、図５に示すように集塵容器４１０の開口７２Ａに塵埃分離部５２の導入開口５３Ａが接続され、集塵容器４１０のカバー板１７０の開口１７０Ａが塵埃分離ユニット４００の吸引風路部５６の接続開口５６Ａに接続されるようになっている。
【００３４】
フィルタ部８０は、図１０に示すように後面が開口されるとともに円筒状の収納ケース８１と、この収納ケース８１内に回転自在に取り付けられたプリーツフィルタ体（二次フィルタ）１００とを有している。収納ケース８１の前壁部８４の前面には塵埃分離部５２（図５および図６参照）が一体に形成されている。
【００３５】
収納ケース８１の前壁部８４には、図５および図１０に示すように接続開口８４Ａが形成され、この接続開口８４Ａが吸引風路部５６（図５参照）に接続されている。そして、その接続開口８４Ａを介して収納ケース８１内と吸引風路部５６とが連通している。
【００３６】
また、前壁部８４の接続開口８４Ａの縁部には、プリーツフィルタ体１００に向けて突出した突起Ｔ（図２参照）が設けられている。この突起の先端部が後述するプリーツフィルタ１０４の山部に接触するようになっている。また、前壁部８４の前面には受光ダイオード（受光手段）Ｄ２（図６参照）が設けられている。
【００３７】
プリーツフィルタ体１００は、図１０に示すように、筒状の枠体１０１と、この枠体１０１の中心位置に設けた軸部１０１Ａと、この軸部１０１Ａから放射状にプリーツを形成したプリーツフィルタ１０４とを有している。
【００３８】
軸部１０１Ａの軸穴１０１Ａａには、図２に示すように前壁部８４の軸８４Ｊが相対的に回転自在に挿入され、プリーツフィルタ体１００が収納ケース８１内で軸８４Ｊ回りに回転可能となっている。
【００３９】
枠体１０１の後端面にはギア１０７が形成され、このギア１０７は収納ケース８１から外へ突出し、このギア１０７は掃除機本体１１の集塵ユニット室２２の駆動ギアＧａに噛合しており、モータＭ１の駆動によりプリーツフィルタ体１００が収納ケース８１内で回転していくようになっている。
【００４０】
また、塵埃分離ユニット４００を掃除機本体１１の集塵ユニット室２２に装着すると、掃除機本体１１の接続風路部２５の前面開口２５Ｂにシール部材２７を介して塵埃分離ユニット４００の収納ケース８１の後端面が接合され、収納ケース８１内と電動送風機２４の吸込開口２４Ａとが接続風路部２５を介して連通される。
【００４１】
そして、発光ダイオードＤ１が発光した赤外光は、集塵ケース部７４内に向けて投光されるとともに、集塵室部７３のゴミ捨てラインＬ１（図７参照）のレベルに沿って集塵ケース部７４内を透過していくようになっている。この集塵ケース部７４内を透過した赤外光は塵埃分離ユニット４００の前壁部８４の受光ダイオードＤ２に受光されるようになっている。
【００４２】
ポップアップ機構（報知手段）１０００は、図１１および図１２に示すように、集塵容器４１０をポップアップ（集塵容器４１０をスプリングにより上に持ち上げること）させるポップアップ手段１１００と、集塵容器４１０を装着位置に固定するロック手段１２００と、このロック手段１２００のロックを解除させる解除手段１３００とから構成されている。
【００４３】
ポップアップ手段１１００は、塵埃分離ユニット４００の案内風路管５７の上壁面に設けられ且つ上下方向に延びるとともに断面が方形の筒状のガイドケース１１０１と、このガイドケース１１０１内に上下動自在に配置された移動板１１０２と、ガイドケース１１０１内に配置されるとともに移動板１１０２を上方に付勢するスプリング１１０３とを有している。このスプリング１１０３の付勢力により、移動板１１０２を上方に移動させることにより集塵容器４１０をポップアップさせるものである。
【００４４】
ガイドケース１１０１の上端板１１０４には切欠１１０５が形成され、この切欠１１０５に連続してガイドケース１１０１の側壁１１０６に上下方向に延びた切欠１１０７が形成されている。
【００４５】
ロック手段１２００は、案内風路管５７の外面に回動可能に設けられ且つ上方に延びたアーム１２０１と、このアーム１２０１を反時計回りに付勢する図示しないバネとを有している。アーム１２０１の上部には、図１２に示すように集塵部７０の第２リブ７２Ｍの係合部７２Ｍａに係合して集塵容器４１０をロックする係止爪１２０２が形成されている。係止爪１２０２の上面は円弧状に形成されている。アーム１２０１はストッパ１２０４により図１２に示す位置より反時計回りに回動しないようになっている。
【００４６】
そして、集塵容器４１０を掃除機本体１１の開口２３から集塵ユニット室２２へ押し込んでいくと、ガイドケース１１０１の切欠１１０５，１１０７に集塵容器４１０の集塵部７０の第１リブ７２Ｒが入って、図１７に示すように移動板１１０２をスプリング１１０３の付勢力に抗して押し下げていく。そして、さらに集塵容器４１０を押し込むと、図１２に示すように、アーム１２０１の係止爪１２０２が第２リブ７２Ｍの係合部７２Ｍａに係合して集塵容器４１０をロックする。
【００４７】
解除手段１３００は、案内風路管５７の上面に前後方向（図１１において左右方向）に移動可能に設けたスライド部材１３０１と、図１１および図１３に示すように掃除機本体１１の前部に設けられ上部カバーケース１１Ｄの下側に配置したモータＭ２（図３において図示せず）と、このモータＭ２の駆動軸に設けたアーム部材１３０２とを有している。
【００４８】
スライド部材１３０１は、図１１に示すように前後方向に延びた２つのガイド穴１３０３を有し、このガイド穴１３０３内に案内風路管５７の上面に設けたガイド片１３０４が挿入されている。そして、ガイド片１３０４がガイド穴１３０３に沿って相対移動することにより、スライド部材１３０１を前後に案内するようになっている。スライド部材１３０１の後端は図１２に示すようにアーム１２０１の係止爪１２０２の前部に当接している。また、スライド部材１３０１の先端部には当接部１３０１Ａが形成されている。
【００４９】
アーム部材１３０２は、図１１に示すようにＬ字形に形成され、その先端部１３０２Ａはスライド部材１３０１の当接部１３０１Ａに当接している。アーム部材１３０２の後部に設けた軸受部１３０２ＢがモータＭ２の駆動軸Ｍ２ａに装着されている。
【００５０】
そして、モータＭ２が駆動されると、アーム部材１３０２が図１１において時計回りに回動して、スライド部材１３０１を後方（図１１において右方）へ移動されるようになっている。このスライド部材１３０１の後方への移動により、アーム１２０１の係止爪１２０２が集塵部７０の第２リブ７２Ｍの係合部７２Ｍａから外れて、集塵部７０のロックが解除される。
【００５１】
図１４はこの電気掃除機の制御系の構成を示したブロック図である。図１４において、２００は操作部１３Ａの操作スイッチ１３ａ（図１参照）の操作や受光ダイオードの受光信号に基づいて電動送風機２４やモータＭ１，Ｍ２を制御する制御装置（測定手段）である。制御装置２００は、受光ダイオードＤ２の受光量に基づいて集塵室部７３内に溜まる塵埃の量を測定し、その塵埃の量がゴミ捨てラインＬ１に達するとモータＭ２を駆動させて集塵部７０をポップアップさせる。
［動  作］
次に、上記のように構成される電気掃除機の動作について説明する。
【００５２】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００５３】
そして、図示しない電源プラグをコンセントに接続すると、制御装置２００は発光ダイオードＤ１を発光させる。発光ダイオードＤ１から発光される赤外光は受光ダイオードＤ２が受光する。
【００５４】
手元操作管１３の操作部１３Ａのスイッチ１３ｂが操作されると、電動送風機２４が駆動される。この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース部７４内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００５５】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図６において反時計回りに回転していく。
【００５６】
そして、この回転により塵埃と空気が慣性により分離され、空気が塵埃分離手段５５のネットフィルタＮＦ１（図５参照）や開口１５４ＢのネットフィルタＮＦ２（図示せず）を通り、さらに吸引風路部５６を通ってフィルタ部８０の収納ケース８１内へ吸引されていく。
【００５７】
他方、分離された塵埃は、慣性力によって分離室部５４の導入開口５３Ａの集塵部７０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００５８】
集塵室部７３へ吸引された空気は、ネットフィルタＮＦ３およびカバー板１７０の下部の開口１７０Ａを通って吸引風路部５６に吸引され、さらにフィルタ部８０の収納ケース８１内へ吸引されていく。
【００５９】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００６０】
電動送風機２４の吸込開口２４Ａへ吸引された空気は電動送風機２４内を通って図２に示す掃除機本体１１の排気口２０Ｈから排気されていく。
【００６１】
一方、集塵室部７３に塵埃が集塵されていく際、その塵埃は受光ダイオードＤ２が受光する赤外光を遮光していくので、受光ダイオードＤ２は断続的に赤外光を受光することになる。そして、集塵室部７３に集塵された塵埃が溜まってゴミ捨てラインＬ１のレベルに達すると、その塵埃が赤外光を遮光し続けるので、受光ダイオードＤ２は赤外光を受光しなくなる。
【００６２】
制御装置２００は、受光ダイオードＤ２が赤外光を所定時間以上継続して受光しないとき、集塵室部７３に溜まった塵埃が所定量、すなわちゴミ捨てラインＬ１のレベルに達したと判断する。すなわち、制御装置２００は、受光ダイオードＤ２の受光に基づいて集塵室部７３に溜まる塵埃の量が所定量に達したか否かを測定するものでる。
【００６３】
そして、制御装置２００は、操作部１３Ａの切スイッチ１３ａが操作された際に、電動送風機２４の駆動を停止させるとともに、ポップアップ機構１０００のモータＭ２を所定時間だけ駆動させる。このモータＭ２の駆動により、アーム部材１３０２が時計回り（図１１において）に回動し、スライド部材１３０１が図１２に示す位置から後方へ移動して、アーム１２０１の係止爪１２０２を後方へ押す。これにより、アーム１２０１が図示しないバネの付勢力に抗して時計回りに回動し、アーム１２０１の係止爪１２０２が集塵部７０の第２リブ７２Ｍの係合部７２Ｍａから外れて、集塵容器４１０のロックが解除される。
【００６４】
このロックが解除されると、ガイドケース１１０１内の移動板１１０２がスプリング１１０３の付勢力により上方に移動していき、図１５に示すように第１リブ７２Ｒを集塵容器４１０とともに上に押し上げていく。すなわち、図１６に示すように集塵容器４１０をポップアップさせる。このポップアップにより、使用者は集塵容器４１０の集塵室部７３に塵埃がゴミ捨てラインＬ１（図７参照）のレベルまで溜まったことが分かり、速やかに集塵室部７３に溜まった塵埃を捨てることができ、集塵室部７３に溜まる塵埃があふれてしまうことを未然に防止することができる。
【００６５】
集塵室部７３に溜まった塵埃がゴミ捨てラインＬ１のレベルに達してから、予め設定した設定時間（所定時間）を経過しても操作部１３Ａの切スイッチ１３ａが操作されない場合、制御装置２００は電動送風機２４の駆動を強制的に停止させるとともに、モータＭ２を駆動させて集塵容器４１０をポップアップさせる。
【００６６】
このため、操作部１３Ａの切スイッチ１３ａが操作されなくても集塵室部７３に溜まる塵埃があふれてしまうことを未然に防止することができる。
【００６７】
ところで、電動送風機２４の駆動が停止されると、モータＭ１が一定時間駆動される。このモータＭ１の駆動により駆動ギアＧａが回転してプリーツフィルタ体１００が回転していく。
【００６８】
このプリーツフィルタ体１００の回転により、プリーツフィルタ１０４の山部に塵埃分離ユニット４００の前壁部８４に設けた突起Ｔ（図２参照）の先端部が接触して、プリーツフィルタ１０４に振動を与えてこのプリーツフィルタ１０４に付着した塵埃を落としていく。
【００６９】
上記実施例では、集塵部７０をポップアップさせることにより、集塵室部７３に溜まった塵埃がゴミ捨てラインＬ１のレベルに達したことを報知するようにしているが、これに限らず例えばブザーを鳴らしたり、ランプを点灯表示して報知するようにしてもよい。
【００７０】
また、上記実施例では、集塵室部７３に溜まった塵埃がゴミ捨てラインＬ１のレベルに達したとき報知しているか、複数の受光ダイオードを上下に配置して集塵室部７３に溜まった塵埃の量を測定し、その量に応じて報知するようにしてもよい。また、上記実施例の電気掃除機は慣性を利用して塵埃を分離しているが、これに限らず、フィルタで捕捉するタイプのものや分離部を通らずに直接集塵室部７３内へ塵埃が流入していくタイプのものであってもよい。
【図面の簡単な説明】
【００７１】
【図１】この発明に係る電機掃除機の外観を示した斜視図である。
【図２】図１に示す掃除機本体の構成を示した縦断面図である。
【図３】集塵ユニットを取り外した掃除機本体を示した斜視図である。
【図４】集塵ユニットの外観を示した斜視図である。
【図５】図４に示す集塵ユニットの横断面図である。
【図６】塵埃分離ユニットの外観を示した斜視図である。
【図７】集塵容器の外観を示した斜視図である。
【図８】図７の集塵部ユニットを他の方向から見た斜視図である。
【図９】蓋体を外した集塵容器を示した斜視図である。
【図１０】集塵ユニットの後方から見た斜視図である。
【図１１】集塵容器を取り外した掃除機本体の主要部を示した斜視図である。
【図１２】ポップアップ手段とロック手段の構成を示した説明図である。
【図１３】ロック解除手段の構成を示した説明図である。
【図１４】電気掃除機の制御系の構成を示したブロック図である。
【図１５】集塵容器がポップアップされたときのポップアップ手段とロック手段を示した説明図である。
【図１６】集塵容器がポップアップされた電気掃除機を示した説明図である。
【図１７】集塵容器がロックされる直前の状態を示した説明図である。
【符号の説明】
【００７２】
１１          掃除機本体
２４          電動送風機
５２          塵埃分離部
７３          集塵室部
４１０        集塵容器
１０００      ポップアップ機構
【図１】
2007244467.tif 000003
【図２】
2007244467.tif 000004
【図３】
2007244467.tif 000005
【図４】
2007244467.tif 000006
【図５】
2007244467.tif 000007
【図６】
2007244467.tif 000008
【図７】
2007244467.tif 000009
【図８】
2007244467.tif 000010
【図９】
2007244467.tif 000011
【図１０】
2007244467.tif 000012
【図１１】
2007244467.tif 000013
【図１２】
2007244467.tif 000014
【図１３】
2007244467.tif 000015
【図１４】
2007244467.tif 000016
【図１５】
2007244467.tif 000017
【図１６】
2007244467.tif 000018
【図１７】
2007244467.tif 000019